(57)【要約】【課題】後方への配光分布を確保することができるランプ装置を提供する。【解決手段】ランプ装置10は、筐体11、発光源12、導光体13、グローブ15および給電部16を備える。発光源12は、筐体11の前端側に設けられる。導光体13は、前端側が筐体11の前端側から突出されるとともに、後端側が発光源12に対向される。グローブ15は、発光源12および導光体13を内包するように筐体11の前端側に設けられ、前端側に導光体13の前端側に対向する反射部34を有するとともに、反射部34よりも後端側に透明部35を有する。給電部16は、筐体11の後端側に設けられる。【選択図】図１
2018055825.tif 000002
【特許請求の範囲】
【請求項１】
筐体と；
前記筐体の前端側に設けられる発光源と；
前端側が前記筐体の前方に突出されるとともに、後端側が前記発光源に対向される導光体と；
前記発光源および前記導光体を内包するように前記筐体の前端側に設けられ、前端側に前記導光体の前端側に対向する反射部を有するとともに、この反射部よりも後端側に透明部を有するグローブと；
前記筐体の後端側に設けられる給電部と；
を具備することを特徴とするランプ装置。
【請求項２】
前記グローブの前記反射部は、前記導光体の前端面に対して前記グローブの他の部分よりも近い接近部分を有する
ことを特徴とする請求項１記載のランプ装置。
【請求項３】
前記グローブの前記反射部は、前記導光体の前端面の中心に対向する円錐状の突出部を有する
ことを特徴とする請求項１記載のランプ装置。
【請求項４】
前記導光体の前端側周辺部から前記筐体の前端側周辺部を結ぶ仮想線とランプ中心軸とのなす角度は、３５°未満である
ことを特徴とする請求項１ないし３いずれか一記載のランプ装置。
【請求項５】
請求項１ないし４いずれか一記載のランプ装置と；
前記ランプ装置の前記給電部を接続するソケットと；
を具備することを特徴とする照明装置。
【発明の詳細な説明】
【技術分野】
【０００１】
本発明の実施形態は、導光体を用いたランプ装置、およびこのランプ装置を用いた照明装置に関する。
【背景技術】
【０００２】
従来、透明なガラスグローブを用いることで、フィラメントが見える白熱クリア電球がある。この白熱クリア電球の点灯時には、透明なガラスグローブを透過して見えるフィラメントから強い光が出ることで、きらめき感が得られる。
【０００３】
また、発光素子を光源とし、透明なグローブを用い、白熱クリア電球に代替え可能なランプ装置がある。このランプ装置においては、発光素子からの光を導光体によってグローブの中心部に導光して放出するようにしたり、複数の発光素子を備えた発光モジュールをグローブの内部空間に配置している。このようなランプ装置では、グローブ側である前方への配光分布は大きいが、口金側である後方への配光分布は少ないことが一般的である。
【０００４】
また、照明装置として例えばシャンデリア等では、グローブを上方に向けて使用するため、このシャンデリアにランプ装置を用いると、天井側への光量が多いが、床面側への光量が少なく、暗くなりやすい。そのため、後方への配光分布を確保することできるランプ装置が望まれている。
【先行技術文献】
【特許文献】
【０００５】
【特許文献１】特開２０１６−９６１２０号公報
【発明の概要】
【発明が解決しようとする課題】
【０００６】
本発明が解決しようとする課題は、後方への配光分布を確保することができるランプ装置および照明装置を提供することである。
【課題を解決するための手段】
【０００７】
実施形態のランプ装置は、筐体、発光源、導光体、グローブおよび給電部を備える。発光源は、筐体の前端側に設けられる。導光体は、前端側が筐体の前端側から突出されるとともに、後端側が発光源に対向される。グローブは、発光源および導光体を内包するように筐体の前端側に設けられ、前端側に導光体の前端側に対向する反射部を有するとともに、反射部よりも後端側に透明部を有する。給電部は、筐体の後端側に設けられる。
【発明の効果】
【０００８】
本発明によれば、ランプ装置の後方への配光分布を確保することが期待できる。
【図面の簡単な説明】
【０００９】
【図１】第１の実施形態を示すランプ装置の断面図である。
【図２】同上ランプ装置の斜視図である。
【図３】同上ランプ装置の配光図である。
【図４】同上ランプ装置を用いた照明装置の１つの灯体の概略図である。
【図５】第２の実施形態を示すランプ装置の断面図である。
【図６】同上ランプ装置の斜視図である。
【図７】同上ランプ装置の配光図である。
【発明を実施するための形態】
【００１０】
以下、第１の実施形態を、図１ないし図４を参照して説明する。
【００１１】
図１および図２に、ランプ装置10を示す。ランプ装置10は、一般照明に用いられる白熱電球用のソケットに装着して使用可能な電球形ランプである。なお、ランプ装置10は、仮想のランプ中心軸ｚを有しており、ランプ中心軸ｚに沿ったランプ装置10の一端側を前端側、他端側を後端側として説明する。
【００１２】
ランプ装置10は、筐体11を備えている。この筐体11の前端側に発光源12、導光体13、カバー14およびグローブ15が配設され、また、筐体11の後端側に給電部16が配設され、また、筐体11の内側に電源部17が配設されている。
【００１３】
そして、筐体11は、例えば金属材料によって円筒状に形成されている。すなわち、筐体11は、前端側の径が後端側の径よりも大きく、後端側から前端側に向かって拡径する円筒状に形成されている。
【００１４】
また、発光源12は、発光モジュールによって構成されている。発光モジュールとしては、例えば、基板、この基板に実装された複数の発光素子（ＬＥＤ）、これら発光素子の周囲を囲む枠部、および枠部内に発光素子を封止するように充填された蛍光体層を備えるＣＯＢ（Chip On Board）モジュールが用いられる。発光源12は、蛍光体層の表面で構成される円形の発光面12aを有している。そして、発光モジュールは、図示しない放熱板を介して筐体11の前端側に固定されているとともに筐体11に熱的に接続されている。
【００１５】
また、導光体13は、例えばシリコーン樹脂等の透明な樹脂またはガラスによって、円柱状に形成されている。導光体13は、円柱状であるが、後端側から前端側に向かって先細りとなるテーパー状に形成されている。導光体13の前端側はグローブ15内に突出され、導光体13の後端側はカバー14等に保持されているとともに導光体13の後端面が発光源12に所定の間隙をあけて対向されている。導光体13の中心軸はランプ中心軸ｚに一致されている。
【００１６】
導光体13の後端面には、発光源12から出射される光が導光体13に入射する平面状の入射面20が形成されている。導光体13の前端側には、入射面20から入射して導光体13内を導光されてくる光を導光体13の外部に放射する光放射部21である平面状の出射面22が形成されている。また、導光体13の後端側には、カバー14等に取り付けるための取付縁23が突設されている。
【００１７】
導光体13の直径は、４〜９ｍｍの範囲であって、例えば出射面22の直径は６ｍｍである。導光体13の出射面22の面積は、１６．６ｍｍ2 以下である。導光体13は、後端側から前端側に向かって先細りとなるテーパー状に形成されている。導光体13の入射面20の直径は、発光源12の発光面12aの直径よりも大きくなっている。
【００１８】
導光体13の前端側周辺部から筐体11の前端側周辺部を結ぶ仮想線ｓとランプ中心軸ｚとのなす角度αは、３５°未満である。
【００１９】
また、カバー14は、絶縁性を有する樹脂材料によって形成されている。カバー14は、中央の頂部が前方へ突出する円錐状に形成されている。カバー14の頂部には、導光体13が挿通される挿通孔26が形成されている。そして、カバー14は、筐体11の前端側に取り付けられ、その筐体11の前端側、発光源12（発光モジュール）、および導光体13の後端側を覆う。
【００２０】
また、グローブ15は、例えば樹脂やガラス等の材料で、後端側が開口された中空状に形成されている。グローブ15は、円筒状の周面部29、およびこの周面部29の前端側に設けられる前面部30を有している。
【００２１】
周面部29は、後端側から前端側へ向けて縮径するように形成されている。周面部29の後端側は筐体11の前端側に固定されている。
【００２２】
前面部30は、ランプ中心軸ｚに直交する平面状に形成されているが、前方に少し突出する曲面状に形成されていてもよい。前面部30の内面側の中央は、導光体13の出射面22に対してグローブ15の他の部分よりも近付いた接近部分31である。すなわち、前面部30の内面側の中央には、導光体13の出射面22の中心に対向するように円錐状の突出部32が突設されている。
【００２３】
突出部32の頂部はランプ中心軸ｚと一致されている。突出部32の頂部の角度は約９０°で、突出部32の頂部側の表面のテーパー角度は約４５°に形成されている。突出部32の周辺の裾野から前面部30の内面側周辺部に亘ってなだらかにかつ連続的してテーパー角度が変化するように形成されている。突出部32は、導光体13の出射面22に対して隙間をあけて対向されており、その間隔は２ｍｍ以下であることが好ましい。
【００２４】
グローブ15の内面には、前面部30の内面側のみに、反射層33が形成されている。反射層33は、例えば蒸着等によって形成される鏡面反射層である。
【００２５】
したがって、グローブ15には、前端側に導光体13の出射面22から出射する光を反射する反射部（反射面部）34が形成され、この反射部34よりも後端側に光が透過する透明部35が形成されている。そして、反射部34は、前面部30、接近部分31、突出部32および反射層33を含むものである。
【００２６】
なお、反射部34の反射層33は、前面部30の外面側に設けられていてもよい。
【００２７】
また、給電部16は、筐体11の後端側に絶縁部材を介して設けられている。給電部16は、例えばＥ１７やＥ２６等の一般照明に用いられる白熱電球用のソケットに接続可能な口金が用いられている。なお、図１および図２には、口金の具体的な構造の図示を省略し、概略的に示している。また、給電部16は、口金に限らず、ランプ種類によっては一対のピンでもよい。
【００２８】
また、電源部17は、給電部16から入力する交流電源を所定の直流電源に変換して発光源12（発光モジュール）に供給する。電源部17は、回路基板38、およびこの回路基板38に実装された複数の電子部品39を有している。回路基板38は、図示しない円筒状の絶縁ケースを介して筐体11の内側に配設されている。そして、電源部17の交流電源の入力部が配線によって給電部16に電気的に接続され、電源部17の直流電源の出力部が配線によって発光源12（発光モジュール）に電気的に接続されている。
【００２９】
次に、図４にはランプ装置10を使用する照明装置42の１つの灯体43の概略図を示す。照明装置42は、例えば、シャンデリア器具であり、器具本体から突設された複数のアームによって複数の灯体43が支持されている。
【００３０】
照明装置42の灯体43は、台座44の上面に、例えばガラス製で円筒状の筒体45が配設されているともに、この筒体45の内側にソケット46がランプ接続方向を上方へ向けて配設されている。
【００３１】
ランプ装置10は、給電部16がソケット46に接続されることにより、グローブ15が上方に向けられた状態に配置される。
【００３２】
そして、交流電源がソケット46を通じてランプ装置10に供給されると、電源部17が交流電源を所定の直流電源に変換して発光源12（発光モジュール）に供給する。これにより、発光源12が発光し、発光源12の発光面12aから光が出射される。
【００３３】
発光源12の発光面12aから出射される光は、入射面20から導光体13内に入射し、導光体13内を前端側へ向けて導光され、出射面22から出射される。
【００３４】
導光体13の出射面22の出射面からは様々な方向に光が出射し、その出射した光の全てが反射部34で反射して透明部35から外部へ放射される。例えば、導光体13の出射面22から垂直に出射して突出部32の約４５°のテーパー面に入射した光は、ランプ中心軸ｚに直交する側方へ向けて反射される。また、導光体13の出射面22から斜めに出射して突出部32の周辺に入射した光は、斜め後方へ向けて反射される。
【００３５】
図３にはランプ装置10の配光図を示す。０°方向が給電部16側である後方、１８０°方向がグローブ15側である前方である。この配光図に示されるように、ランプ装置10の斜め後方への光の配光分布が多く、真後や前方への配光分布が少ない。
【００３６】
図４に示したように、シャンデリア器具では、ランプ装置10の真後にはソケット46や台座44等があるため、ランプ装置10の真後への配光は不要（不要領域）であり、斜め後方への配光は必要（必要領域）である。かつ、ランプ装置10の上方への配光は天井側であるため少なくてよい。そのため、ランプ装置10の配光は、シャンデリア器具に適する。
【００３７】
このように、第１の実施形態のランプ装置10によれば、後方への配光分布を確保することができる。そのため、シャンデリア器具等に対応できる。
【００３８】
また、グローブ15の反射部34は、導光体13の出射面22に対してグローブ15の他の部分よりも近付いた接近部分31を有するため、ランプ装置10を側方や斜め後方から見た場合、導光体13の出射面22と反射部34の接近部分31とが１つの小さい発光部として見えやすく、白熱クリア電球が点灯しているような、きらめき感を再現することができる。
【００３９】
また、グローブ15の反射部34は、導光体13の出射面22の中心に対向する円錐状の突出部32を有するため、グローブ15内での不要な光の反射や散乱を抑え、導光体13の出射面22から出射する光を効率よく外部へ取り出すことができる。しかも、ランプ装置10を側方や斜め後方から見た場合、導光体13の出射面22と反射部34の突出部32とが１つの小さい発光部として見えやすく、白熱クリア電球が点灯しているような、きらめき感を再現することができる。この場合、突出部32と導光体13の出射面22との間隔は２ｍｍ以下であることが好ましく、２ｍｍ以下であれば、導光体13の出射面22と反射部34の突出部32とが１つの小さい発光部として見えやすく、きらめき感を再現しやすい。
【００４０】
また、導光体13の前端側周辺部から筐体11の前端側周辺部を結ぶ仮想線ｓとランプ中心軸とのなす角度αは、３５°未満であることが好ましく、３５°未満であれば、斜め後方への配光分布を確保することができる。角度αが３５°以上であると、導光体13の出射面から出射するとともに反射部34で反射して斜め後方へ向かう光が筐体11の前端側周辺部で遮られやすくなり、斜め方向への配光分布が少なくなりやすい。
【００４１】
また、突出部32の周辺の裾野から前面部30の内面側周辺部に亘ってなだらかにかつ連続的してテーパー角度が変化するように形成されているため、光照射の必要な方向の範囲に配光できる。
【００４２】
次に、図５ないし図７に第２の実施形態を示す。なお、第１の実施形態と同じ構成については、同じ符号を用いてその構成および作用効果の説明を省略する。
【００４３】
図５および図６に示すように、ランプ装置10は、一般照明に用いられる白熱電球用のソケットに装着して使用可能な電球形ランプであって、キャンドル形ランプである。
【００４４】
なお、第１の実施形態とは、導光体13の構成およびグローブ15の構成が異なり、他の構成は同一であり、異なる構成および作用効果について説明する。
【００４５】
導光体13の前端側には、凹部50が形成されているとともに、この凹部50にプリズム51が形成されている。このプリズム51の部分が導光体13から外部に光を放射する光放射部21であり、プリズム51の表面および周面が光を出射する出射面22である。
【００４６】
導光体13の先端は、グローブ15内の軸方向の中央域に突出されている。グローブ15内の軸方向の中央域は、グローブ15内の軸方向の中心、およびその中心付近を含む。
【００４７】
また、グローブ15は、グローブ15は、後端側から前端側へ向けて先細りとなる円錐形に形成されている。
【００４８】
グローブ15の内面には、前端側の内面側のみに、反射層33が形成されている。反射層33は、例えば蒸着等によって形成される鏡面反射層である。したがって、グローブ15には、前端側に導光体13の出射面22から出射する光を反射する反射部（反射面部）34が形成され、この反射部34よりも後端側に光が透過する透明部35が形成されている。
【００４９】
反射部34は、グローブ15の軸方向の先端側から軸方向の中央領域に亘って設けられている。反射部34の後端側は、導光体13の前端側の光放射部21と軸方向に重なるよう位置に設けられている。
【００５０】
なお、反射部34の反射層33は、グローブ15の外面側に設けられていてもよい。
【００５１】
そして、このランプ装置10は、図４に示した照明装置42に使用し、点灯できる。
【００５２】
ランプ装置10の点灯時、導光体13内を導光される一部の光がプリズム51で反射して導光体13の周面から出射され、さらに一部の光がプリズム51を透過して導光体13の前端面から出射される。
【００５３】
プリズム51で反射して導光体13の周面から出射される光は、斜め前方から斜め後方に亘る領域へ向かう。斜め前方へ向かう光は、反射部34で反射し、透明部35から斜め後方へ放射される。また、側方や斜め方向へ出射する光は、透明部35へ直接向かい、透明部35から側方や斜め方向へ放射される。
【００５４】
プリズム51を透過して導光体13の前端面から出射される光は、反射部34へ向かい、反射部34で反射し、反射部34の後側の透明部35から斜め後方へ放射される。
【００５５】
図７にはランプ装置10の配光図を示す。０°方向が給電部16側である後方、１８０°方向がグローブ15側である前方である。この配光図に示されるように、ランプ装置10の斜め後方への光の配光分布が多く、真後や前方への配光分布が少ない。そのため、シャンデリア器具に適する。
【００５６】
そして、第２の実施形態のランプ装置10においても、上述した第１の実施形態のランプ装置10と同様の作用効果が得られる。
【００５７】
さらに、グローブ15が先細り形状であるため、キャンドル形ランプと同様となり、意匠性がよい。
【００５８】
なお、ランプ装置10は、電源部17を備えていなくてもよい。この場合、器具側に配設した電源部から直流電源をランプ装置10に供給する。
【００５９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６０】
10    ランプ装置
11    筐体
12    発光源
13    導光体
15    グローブ
16    給電部
31    接近部分
32    突出部
34    反射部
35    透明部
42    照明装置
46    ソケット
ｚ    ランプ中心軸
【図１】
2018055825.tif 000003
【図２】
2018055825.tif 000004
【図３】
2018055825.tif 000005
【図４】
2018055825.tif 000006
【図５】
2018055825.tif 000007
【図６】
2018055825.tif 000008
【図７】
2018055825.tif 000009